(57)【要約】      （修正有）【課題】年間カレンダーや年間・月間・週間の各スケジュール、毎日のスケジュールなどを、ページをめくることなく一度に一目で参照あるいは確認しながら、スケジュールの策定や管理を行うことを可能にするスケジュール帳を提供する。【解決手段】年間カレンダーページ１４と、マンスリーページ３１と、ウイークリーページ３６とを備えていて、多くの矩形用紙を１辺側で綴じ合わせてなる。見開きページを形成する２枚の用紙のうちの前ページ側用紙の自由辺に、年間カレンダーページ１４を裏面に表示する用紙が折畳み可能に連設されている。他の見開きページを形成する２枚の用紙のうちの後ページ側用紙の自由辺に、マンスリーページ３１を表面に表示する用紙３２が折畳み可能に連設されている。さらに他の見開き２ページを形成する２枚の用紙のうちの後ページ側用紙３７の表面にウイークリーページ３６が表示されている。【選択図】図１２
0003192418.tif 000002
【実用新案登録請求の範囲】
【請求項１】
少なくとも１年間の月暦を表示する年間カレンダーを表示した年間カレンダーページと、１箇月間の予定を日にち毎に分けて記述することのできるマンスリーページと、１週間の予定を日にち毎に分けて記述することのできるウイークリーページとを備えて、多くの矩形用紙を１辺側で綴じ合わせてなるスケジュール帳であって、
見開きページを形成する２枚の用紙の紙面とこれら２枚の用紙のうちの一方側用紙の自由辺に連設された用紙の紙面とに、上記年間カレンダーページ、上記マンスリーページ及び上記ウイークリーページが各別に表示されていることを特徴とするスケジュール帳。
【請求項２】
見開きページを形成する２枚の用紙のうちの前ページ側用紙の自由辺に、上記年間カレンダーページを裏面に表示する用紙が、この前ページ側用紙に対して折畳み可能に連設され、
他の見開きページを形成する２枚の用紙のうちの後ページ側用紙の自由辺に、上記マンスリーページを表面に表示する用紙が、この後ページ側用紙に対して折畳み可能に連設され、
さらに他の見開き２ページを形成する２枚の用紙のうちの後ページ側用紙の表面に上記ウイークリーページが表示され、
上記年間カレンダーページが上記マンスリーページよりも前のページになる順番でそれらのページを表示する用紙が閉じ合わされていると共に、上記マンスリーページが上記ウイークリーページよりも前のページになる順番でそれらのページを表示する用紙が閉じあわされている請求項１に記載したスケジュール帳。
【請求項３】
上記年間カレンダーページを表示する用紙が連設された前ページ側用紙の裏面と、この前ページ側用紙と共に見開きページを形成する後ページ側用紙の表面とに亘って、１年間の予定を月割りで日にち毎に書き込むことのできる年間スケジュールページが表示されている請求項２に記載したスケジュール帳。
【請求項４】
上記マンスリーページを表面に表示している用紙の裏面に、１箇月間の行動予定を箇条書きすることのできる月間行動予定ページが表示されている請求項２ないし請求項３のいずれか１項に記載したスケジュール帳。
【請求項５】
上記ウイークリーページと共に見開きページを形成する前ページ側用紙の裏面に罫線を表示したメモ用ページが表示されている請求項２ないし請求項４のいずれか１項に記載したスケジュール帳。
【考案の詳細な説明】
【技術分野】
【０００１】
本考案は、年間・月間・週間の各スケジュール（予定）、さらには毎日のスケジュール（予定）についての策定や管理を、便利に効率よく行えるようにするための対策が講じられたスケジュール帳に関する。
【背景技術】
【０００２】
従来、スケジュールの策定や管理に、ポケット型の手帳や、用紙枚数の補充や削減が可能なシステム手帳、さらには、Ａ５サイズやＢ５サイズといった様々なサイズの用紙を綴じ合わせたスケジュール帳などが知られていた。
【０００３】
また、先行例として、綴じ合わせた多くの用紙を、行動リスト部と説明部と予定表部とに分類したものがある（たとえば、特許文献１参照）。この先行例に係るスケジュール帳を用いて、たとえば結婚式準備のスケジューリングを行う場合には、行動リスト部に結婚式準備に必要な行動事項をリストアップし、説明部に各行動事項の詳細説明をリストアップし、予定表部に、日にち毎にその日の予定を書き込むことができるようになっている。
【０００４】
他の先行例として、１週間以内の短期間のスケジュールの管理作業を容易に行うためのスケジュール帳が知られている（たとえば、特許文献２参照）。このものは、折目線を挟んで折畳み可能に連設した複数枚の用紙（枚葉紙）に予定を書き込むことができるようになっている。
【先行技術文献】
【特許文献】
【０００５】
【特許文献１】特開平１１−４２８７２号公報
【特許文献２】特開２０１１−５１１４５号公報
【考案の概要】
【考案が解決しようとする課題】
【０００６】
従来より知られていたスケジュール帳は、一般的に、年間カレンダーを備えていると共に、年間スケジュール、月間スケジュール、週間スケジュール、毎日のスケジュールなどを、策定したり管理したりすることが可能になっている。
【０００７】
しかしながら、従来のこの種のスケジュール帳は、年間カレンダーを参照しながら月間スケジュールや週間スケジュール、毎日のスケジュールを策定したり管理したりするときに、年間カレンダーや年間・月間・週間の各スケジュールや毎日のスケジュールなどを一度に一目で参照することができなかったため、目的のページをめくり出す動作を何回も繰り返さなければならない面倒があり、そのことが原因になって、スケジュールを見落としたり失念したりすることがあった。
【０００８】
本考案は、以上の事情に鑑みてなされたものであり、年間カレンダーや年間・月間・週間の各スケジュール、毎日のスケジュールなど表示するページを、ページをめくることなく一度に一目で参照あるいは確認しながら、スケジュールの策定や管理を行うことが可能になる対策の講じられたスケジュール帳を提供することを目的とする。
【課題を解決するための手段】
【０００９】
本考案に係るスケジュール帳は、少なくとも１年間の月暦を表示する年間カレンダーを表示した年間カレンダーページと、１箇月間の予定を日にち毎に分けて記述することのできるマンスリーページと、１週間の予定を日にち毎に分けて記述することのできるウイークリーページとを備えて、多くの矩形用紙を１辺側で綴じ合わせてなる。併せて、見開きページを形成する２枚の用紙の紙面とこれら２枚の用紙のうちの一方側用紙の自由辺に連設された用紙の紙面とに、上記年間カレンダーページ、上記マンスリーページ及び上記ウイークリーページが各別に表示されている。
【００１０】
本考案では、見開きページを形成する２枚の用紙のうちの前ページ側用紙の自由辺に、上記年間カレンダーページを裏面に表示する用紙が、この前ページ側用紙に対して折畳み可能に連設され、他の見開きページを形成する２枚の用紙のうちの後ページ側用紙の自由辺に、上記マンスリーページを表面に表示する用紙が、この後ページ側用紙に対して折畳み可能に連設され、さらに他の見開き２ページを形成する２枚の用紙のうちの後ページ側用紙の表面に上記ウイークリーページが表示され、上記年間カレンダーページが上記マンスリーページよりも前のページになる順番でそれらのページを表示する用紙が閉じ合わされていると共に、上記マンスリーページが上記ウイークリーページよりも前のページになる順番でそれらのページを表示する用紙が閉じあわされている、という構成を採用することが可能である。
【００１１】
上記構成を備えたスケジュール帳では、上記年間カレンダーページを表示する用紙が連設された前ページ側用紙の裏面と、この前ページ側用紙と共に見開きページを形成する後ページ側用紙の表面とに亘って、１年間の予定を月割りで日にち毎に書き込むことのできる年間スケジュールページが表示されていることが望ましい。
【００１２】
さらに，本考案では、上記マンスリーページを表面に表示している用紙の裏面に、１箇月間の行動予定を箇条書きすることのできる月間行動予定ページが表示されていることが望ましい。
【００１３】
さらに、本考案では、上記ウイークリーページと共に見開きページを形成する前ページ側用紙に罫線を表示したメモ用ページが表示されていることが望ましい。
【００１４】
上記の構成を備えたスケジュール帳の具体的な使い方や作用は、後述する実施形態の説明によって明らかにする。
【考案の効果】
【００１５】
本考案に係るスケジュール帳によると、年間カレンダーや年間・月間・週間の各スケジュール、毎日のスケジュールなどを憑依するページを、ページをめくることなく一度に一目で参照あるいは確認しながら、スケジュールの策定や管理を行うことが可能になるので、行動予定などのスケジュールを見落としたり失念したりしにくくなるだけでなく、取り扱いも容易であり、さらに、スケジュールの策定や管理を楽にしかも正確に行うことができるようになるという効果が奏される。
【図面の簡単な説明】
【００１６】
【図１】本考案の実施形態に係るスケジュール帳の全体構成を例示した斜視説明図である。
【図２】表紙ページを示したスケジュール帳の平面図である。
【図３】見開きページを見せた平面図である。
【図４】他の見開きページを見せた平面図である。
【図５】さらに他の見開きページを見せた平面図である。
【図６】さらに他の見開きページを見せた平面図である。
【図７】さらに他の見開きページを見せた平面図である。
【図８】さらに他の見開きページを見せた平面図である。
【図９】さらに他の見開きページを見せた平面図である。
【図１０】さらに他の見開きページを見せた平面図である。
【図１１】裏表紙を示した平面図である。
【図１２】特定の見開きページを示した平面図である。
【図１３】別の特定の見開きページを示した平面図である。
【図１４】折り畳んだ用紙で他の用紙を挟み込んだ状態を示した概略斜視説明図である。
【考案を実施するための形態】
【００１７】
図１は本考案の実施形態に係るスケジュール帳の全体構成を例示した斜視説明図である。同図のように、このスケジュール帳は、表紙及び年間予定を書き込むための用紙の集合である年間予定用紙群１１０と、前年度の年度末時期の予定を書き込むための用紙の集合である前年予定用紙群１２０と、当年の予定を書き込むための用紙の集合である当年予定用紙群１３０と、裏表紙１７０などと、を備えている。そして、当年予定用紙群１３０は、１月分、２月分、３月分・・・１２月分というように、各月毎にまとめられた月間予定用紙群１４０，１５０，１６０の集合によって構成されている。また、このスケジュール帳を構成しているすべての用紙は、その形状がＡ５サイズの矩形であって、その１辺側で表面を表紙側に向けて左閉じ方式で重なり状に綴じ合わされている。図１には、各用紙の綴じ合わせ箇所Ｃとしての１辺を２重線で表示してある。以下では、当年度を西暦２０１５年（平成２７年）とし、前年度を西暦２０１４年（平成２６年）とし、次年度を西暦２０１６年（平成２８年）として説明する。
【００１８】
はじめに、図１に示した年間予定用紙群１１０に関わる事項を図２〜図４を参照しながら説明する。
【００１９】
図２は表紙ページを示したスケジュール帳の平面図である。同図のように、表紙ページには、たとえば「２０１５  ＭＯＭＥＮＴ」の表示が印刷表示される。この表紙ページを表面に備える用紙１１の自由辺（綴じ合わせ箇所Ｃの反対側の辺）には、前年度（２０１４年度）及び次年度（２０１６年度）の各１年間の月暦ページを表面に備える用紙１２が、折曲げ線１３を介し、表側又は裏側に向けて折畳み可能に連設されている。折曲げ線１３は実際には表示されていない。なお、用紙１２を用紙１１の裏面側へ折り畳むと、Ａ５サイズの表紙ページだけが見えるようになる。
【００２０】
図３は、図２に示した用紙１１，１２を左側へめくった状態での見開きページを見せた平面図である。この見開き状態では、当年度（２０１５年度）の１年間の月暦を表示する年間カレンダーページ１４と年間スケジュールページ１５とが見える。年間カレンダーページ１４は、図１に示した用紙１２の裏面によって形成されている。年間カレンダーページ１４の右側に続く年間スケジュールページ１５は見開き２ページに亘って形成されていて、その前ページに当該年間スケジュールページ１５の１〜６月分が割り当てられ、後ページに当該年間スケジュールページ１５の７〜１２月分が割り当てられている。そして、１〜６月分が割り当てられているページは、図１に示した用紙１１の裏面によって形成され、７〜１２月分が割り当てられているページは、別の用紙１６の表面によって形成されている。図示例の年間スケジュールページ１５では、縦罫線で月ごとに区画された書込み欄が横方向に並び、各月の書込み欄が日付順に罫線で区画されて縦方向に並んでいる。この構成により、１年間の予定を月割りで日にち毎に書き込むことができるようになる。なお、用紙１２を用紙１１の裏面側へ折り畳むと、用紙１２によって１〜６月分が割り当てられているページが覆い隠される一方で、用紙１２の表面に表示されている前年度及び次年度の各１年間の月暦ページを見ることができる。また、用紙１２を用紙１１の表面側へ折り畳んで見えなくすると、見開きページだけが表示されるので、年間スケジュールページ１５だけが見えるようになる。
【００２１】
図４は、図３に示した用紙１６を左側へめくった状態での見開きページを見せた平面図である。同図のように、この見開き状態では、２ページに亘って形成されている年間プラン書込み欄１７を見ることができる。図示例では、年間プラン書込み欄１７が、月ごとに罫線で区画されていて、前ページに１〜６月分が割り当てられ、後ページに７〜１２月分が割り当てられている。そして、１〜６月分の年間プラン書込み欄１７を表示している前ページは、図３に示した用紙１６の裏面によって形成され、７〜１２月分の年間プラン書込み欄１７を表示している後ページは、別の用紙１８の表面によって形成されている。
【００２２】
次に、図１に示した前年予定用紙群１２０に関わる事項を図５を参照しながら説明する。
図５は、図４に示した用紙１８を左側へめくった状態での見開きページを見せた平面図である。同図のように、この見開き状態では、用紙１８の裏面によって形成されている前年度１２月分のマンスリーページ２１を見ることができる。このマンスリーページ２１には、１箇月間の予定を日にち毎に分けて記述することができるようになっている。このマンスリーページ２１は、たとえば同図のように、格子状の罫線によって区画した矩形の書込み欄に、１箇月間の日にちを、日にち順に個別に割り当てることによって構成することが望ましい。
【００２３】
図５において、綴じ合わせ箇所Ｃを挟んで前年度１２月分のマンスリーページ２１に隣接するページは、横罫線を表示したノート型のメモ用ページ２２になっている。このメモ用ページ２２は、別の用紙２３の表面によって形成されている。
【００２４】
この実施形態では、前年予定用紙群１２０が、前年度１２月分のマンスリーページ２１を形成している用紙１８と、メモ用ページ２２を形成している用紙２３との集合によって構成されている事例を説明したけれども、前年予定用紙群１２０は、前年度１１月分のマンスリーページ及びメモ用ページを含んでいても、さらには、前年度１０月分のマンスリーページ及びメモ用ページを含んでいてもよい。これらの場合において、マンスリーページとメモ用ページとは、見開きページで一度に見ることができるようになっていることが望ましい。
【００２５】
次に、図１に示した当年予定用紙群１３０に関わる事項を図５〜図１０を参照しながら説明する。
【００２６】
図５に示した見開きページにおいて、後ページであるメモ用ページ２２を形成している用紙２３の自由辺には、当年度（２０１６年度）の１箇月間の予定を日にち毎に分けて記述することのできるマンスリーページ３１を表面に表示する用紙３２が、折曲げ線３３を介し、表側又は裏側に向けて折畳み可能に連設されている。折曲げ線３３は実際には表示されていない。図５に示されている１月度のマンスリーページ３１には、１月の１箇月間の予定を日にち毎に分けて記述することができるようになっている。このマンスリーページ３１は、たとえば同図のように、格子状の罫線によって区画した矩形の書込み欄に、１箇月間の日にちを、日にち順に個別に割り当てることによって構成することが望ましい。なお、用紙３２を用紙２３の裏面側へ折り畳むと、前年度１２月分のマンスリーページ２１とメモ用ページ２２だけが見えるようになる。また、用紙３２を用紙２３の表面側へ折り畳むと、メモ用ページ２２が覆い隠されて用紙３２の裏面に表紙されている月間行動予定ページ３４（当ページ３４については図６を参照して後述する。）と前年度１２月分のマンスリーページ３１だけが見えるようになる。
【００２７】
図６は、図５に示した用紙２３，３２を左側へめくった状態での見開きページを見せた平面図である。この見開きページでは、月間行動予定ページ３４と、メモ用ページ３５と、ウイークリーページ３６とを見ることができる。
【００２８】
月間行動予定ページ３４は、図５に示した用紙３２の裏面によって形成されている。図示例の月間行動予定ページ３４は、横罫線によって２列多段に書き込み欄を区画形成し、それぞれの書き込み欄にチェックボックスを表示することによって形成されている。メモ用ページ３５は、図５に示した用紙２３の裏面によって形成されている。ウイークリーページ３６は、別の用紙３７の表面によって形成されていて、１週間の予定を日にち毎に分けて記述することができるようになっている。図示例のウイークリーページ３６では、縦罫線で月曜日から金曜日までの日にち毎に区画された５つの書き込み欄がページ上部で横方向に並び、それぞれの日にちに対応して、横罫線で時刻表示された書き込み欄が縦方向に並んでいる。また、縦罫線で土曜日と日曜日に区画された２つの書き込み欄がページ下部で横方向に並んでいる。この見開き状態において、用紙３２を用紙２３の表面側へ折り畳むと、メモ用ページ３５が用紙３２により覆い隠される一方で、見開きページに、用紙３２の表面に表示されている１月分のマンスリーページ３１とウイークリーページ３６とが見えるようになる。
【００２９】
図７は、図６に示した用紙３７を左側へめくった状態での見開きページを見せた平面図である。この見開きページでは、メモ用ページ３８と、ウイークリーページ３９とを見ることができる。メモ用ページ３８は、図６に示した用紙３７の裏面によって形成されていて、横罫線が表示されたノート型に形成されている。ウイークリーページ３９は、別の用紙４０の表面によって形成されている。このウイークリーページ３９は、図６に示したウイークリーページ３６の続きの１週間の予定を日にち毎に分けて記述することができるようになっている。したがって、日付が異なるだけで、その他の構成は図６に示したウイークリーページ３６と同様である。なお、図示していないが、１月度に属する他の日にちのウイークリーページも、図７に示したところと同様に備わっている。
【００３０】
図８は、１月度最終週の１週前のウイークリーページが表面に表示されている用紙４１を左側へめくった状態での見開きページを見せた平面図である。この見開きページでは、メモ用ページ４２と、１月度最終週のウイークリーページ４３を見ることができる。メモ用ページ４２は、用紙４１の裏面によって形成され、ウイークリーページ４３は、別の用紙４４の表面によって形成されている。また、図８のメモ用ページ４２やウイークリーページ４３は、日付が異なるだけで、その他の構成は図７に示したものと同様である。
【００３１】
図８に示した見開きページにおいて、後ページであるウイークリーページ４３を形成している用紙４４の自由辺には、２月度の１箇月間の予定を日にち毎に分けて記述することのできるマンスリーページ４５を表面に表示する用紙４６が、折曲げ線４７を介し、表側又は裏側に向けて折畳み可能に連設されている。折曲げ線４７は実際には表示されていない。図８に示されている２月度のマンスリーページ４５には、２月の１箇月間の予定を日にち毎に分けて記述することができるようになっている。このマンスリーページ４５は、図５に示した１月度のマンスリーページ３１と同様の構成になっている。
【００３２】
図９は、１月度最終週のウイークリーページ４３を形成している用紙４４と２月度のマンスリーページ４５を表示している用紙４６（図８参照）とを左側へめくった状態での見開きページを見せた平面図である。この見開きページでは、２月度の月間行動予定ページ４８と、メモ用ページ４９と、ウイークリーページ５０とを見ることができる。
【００３３】
月間行動予定ページ４８は用紙４６の裏面によって形成されていて、その構成は、図６に示した１月度の月間行動予定ページ３４と同様である。メモ用ページ４９は用紙４４の裏面によって形成されていて、その構成は、図６に示した１月度のメモ用ページ３５と同様である。ウイークリーページ５０は、別の用紙５３の表面によって形成されていて、その構成は、日付が異なるだけで、図６のウイークリーページ３６と同様である。図９の見開き状態において、用紙４６を用紙４４の裏面側へ折り畳むと、メモ用ページ４９が覆い隠されて２月度のマンスリーページ４５とウイークリーページ５０だけが見えるようになる。また、用紙４６を用紙４４の表面側へ折り畳むと、用紙４６が用紙４４により覆い隠されてメモ用ページ４９とウイークリーページ５０だけが見えるようになる。なお、図示していないが、２月度に属する他の日にちのウイークリーページも、図９に示したところと同様に備わっている。また、３月度から１２月度までについても、上記した１月度や２月度の場合と同様に、マンスリーページ、月間行動予定ページ、メモ用ページ、ウイークリーページが備わっている。
【００３４】
図１０は、１２月度最終週のウイークリページを形成している用紙５４を左側へめくった状態での見開きページを見せた平面図である。この見開きページでは、２ページに亘ってメモ用ページ５１，５２を見ることができる。そして、前ページのメモ用ページ５１は、１２月度最終週のウイークリーページを形成している用紙５４の裏面によって形成されている。また、後ページのメモ用ページ５２は、別の用紙５５の表面によって形成されている。図１０に示した見開きページは、数ページに亘って設けられている。
【００３５】
図１１は、最終ページのメモ用ページを形成している用紙５６を左側へめくって閉じた状態での裏表紙を示した平面図である。同図のように、最終ページのメモ用ページを形成している用紙を閉じた状態では裏表紙７０の裏面が見える。
【００３６】
次に、上記のように構成されているスケジュール帳の使い方や作用などの具体例を、図１２〜図１４を参照して説明する。
【００３７】
図１２は特定の見開きページを示した平面図である。同図の見開き状態は、図２に示した用紙１１，１２を展開したまま綴じ合わせ箇所Ｃの左側へめくって当年度の年間カレンダーページ１４を表示させると共に、図５に示した用紙２３の裏面側に折り畳んだ用紙３２を用紙２３と共に綴じ合わせ箇所Ｃの左側へめくることによって、見開きページにマンスリーページ３１とウイークリーページ３６とを表示させることによって得られる。この見開き状態では、年間カレンダーページ１４と、１月度のマンスリーページ３１と、ウイークリーページ３６とを一度に一目で見ることができる。そのため、年間カレンダーを見ながら、１月度のスケジュールを策定したり、既記載のスケジュールを確認したり、さらには、ウイークリーページ３６でその週のスケジュールを策定したり、既記載のスケジュールを確認したりすることを、一度に一目で行うことが可能になる。言い換えると、月ごと、当該週の日にちごとの「スケジュールの見える化」が達成される。
【００３８】
図１３は、特定の他の見開きページを示した平面図である。同図の見開き状態は、図１２に示した用紙１２を用紙３２の表面側へ折り畳むことによって、見開きページで、１月度のマンスリーページ３１とウイークリーページ３６とを一度に一目で見ることができるようにした事例である。この見開き状態によっても、月ごと、当該週の日にちごとの「スケジュールの見える化」が達成される。
【００３９】
上記実施形態のスケジュール帳において、特定の用紙の自由辺に連設されている用紙、たとえば図２及び図３に示した用紙１２、図５及び図６に示した用紙３２、図８及び図９に示した用紙４６などは、展開状態では、それらが連設されている用紙の左側又は右側に張り出しているけれども、これらは折り畳むことによって突き出さないようにすることができる。したがって、必要に応じて、展開したり折り畳んだりすることによって、スケジュールの策定又は確認に必要なページを、見開き状態の他のページと共に一度に一目で見ることができるようにしたり、見えないように折り畳んだりしておくことが可能になるという利便性がある。
【００４０】
また、図１４に示した概略斜視説明図のように、たとえば折り畳んだ用紙１２とその用紙１２が連接されている用紙１１との間に、他の１枚又は複数枚の用紙を挟み込んでじゃまにならないようにすることも可能になるという利便性もある。
【符号の説明】
【００４１】
１４  年間カレンダーページ
３１，４４  マンスリーページ
３６，３９，４２，４９  ウイークリーページ
１１，１２，１６，１８，２３，３２，３７，４０，４１，４４，４６，５３〜５６  用紙
１５  年間スケジュールページ
３４，４７  月間行動予定ページ
３５，３８，４１，４８，５１，５２  メモ用ページ
【図１】
0003192418.tif 000003
【図２】
0003192418.tif 000004
【図３】
0003192418.tif 000005
【図４】
0003192418.tif 000006
【図５】
0003192418.tif 000007
【図６】
0003192418.tif 000008
【図７】
0003192418.tif 000009
【図８】
0003192418.tif 000010
【図９】
0003192418.tif 000011
【図１０】
0003192418.tif 000012
【図１１】
0003192418.tif 000013
【図１２】
0003192418.tif 000014
【図１３】
0003192418.tif 000015
【図１４】
0003192418.tif 000016